(57)【要約】【課題】  表面播種後における鉄粉被覆稲種子の出芽を早めることにより、草による被害を防止することができる鉄粉被覆稲種子の湛水直播栽培方法の提供。【解決手段】種子の準備→浸種→鉄粉被覆→鉄粉被覆後の管理（酸化・乾燥）→発芽テスト→耕起・代かき→表面播種、の工程を含む鉄粉被覆稲種子の湛水直播栽培方法において、表面播種の前に２度目の浸種を行う。【選択図】      図１
2014117218.tif 000002
【特許請求の範囲】
【請求項１】
種子の準備→浸種→鉄粉被覆→鉄粉被覆後の管理（酸化・乾燥）→発芽テスト→耕起・代かき→表面播種、の工程を含む鉄粉被覆稲種子の湛水直播栽培方法において、
前記表面播種の前に２度目の浸種を行うことを特徴とする鉄粉被覆稲種子の湛水直播栽培方法。
【請求項２】
請求項１に記載の鉄粉被覆稲種子の湛水直播栽培方法において、
前記鉄粉被覆は、鉄粉コーティング比率が０.３〜０.５％であることを特徴とする鉄粉被覆稲種子の湛水直播栽培方法。
【請求項３】
請求項１または２に記載の鉄粉被覆稲種子の湛水直播栽培方法において、
前記表面播種の前に発芽テストを行うことを特徴とする鉄粉被覆稲種子の湛水直播栽培方法。
【請求項４】
請求項１〜３のいずれか１項に記載の鉄粉被覆稲種子の湛水直播栽培方法において、
前記浸種及び２度目浸種では、水温１５〜３２℃のたっぷりの水に３〜４日間浸け、積算温度を４０〜８５℃とすることを特徴とする鉄粉被覆稲種子の湛水直播栽培方法。
【発明の詳細な説明】
【技術分野】
【０００１】
本発明は、鉄粉被覆稲種子の湛水直播栽培方法に関する。
【背景技術】
【０００２】
従来、米生産費を削減する目的で直播栽培の導入が試みられている。直播栽培には様々な栽培形態がある。その一つの例として、水田に播いた稲種子が、発芽生育中に、水中で浮かないように比重を高める鉄コーティング湛水直播栽培技術がある（例えば、非特許文献１参照）。この方法では、はじめにコーティング資材として稲種子に付着しやすい金属鉄粉を選定する。次に、皿型回転造粒機に乾燥稲種子、選定された鉄粉及び結合剤として焼セッコウ、即ち硫酸カルシウム０．５水和物を入れ、水をスプレーしながら造粒する。造粒した種子は造粒機から取り出し、底に網を張った網箱などに入れ薄く広げて、通風条件下で乾燥させた後、保存しておき、適期に湛水条件下で水田に播種する。
この方法は、農閑期（１０〜１１月）に予め稲種子に鉄粉をコーティングしておくことができるので、省力化が可能である上に、水田において播種前後の強制的な落水を必要としないために、環境に優しく、しかも低コストである（例えば、非特許文献２参照）。
【先行技術文献】
【特許文献】
【０００３】
【非特許文献１】山内稔著 「湛水直播水稲における種子の鉄コーティングによる比重の増加と浮き苗回避」 日本作物学会紀事71巻（別1号）p.150-151、2002年
【非特許文献２】インターネットホームページ 近畿中国四国農業研究センター プレスリリースhttp://ss.cgk.affrc.go.jp/top.htmlhttp://ss.cgk.affrc.go.jp/tetu/tetucoat.htmhttp://ss.cgk.affrc.go.jp/tetu/01.html http://ss.cgk.affrc.go.jp/tetu/tetu2.htm
【発明の概要】
【発明が解決しようとする課題】
【０００４】
しかしながら、従来例の鉄粉被覆稲種子の湛水直播栽培方法にあっては、以下のような問題がある。
即ち、従来の鉄粉被覆稲種子の湛水直播栽培方法は、以下の工程で行われる。
種子の準備→浸種→鉄粉被覆→鉄粉被覆後の管理（酸化・乾燥）→発芽テスト→耕起・代かき→表面播種→水管理・除草→出芽→入水・除草→栽培管理
ところが、農閑期（１０月〜翌年４月頃）に予め鉄粉コーティングした稲種子を翌年の５〜６月頃に、耕起・代かきして表面播種を行うと、出芽までに２〜３週間の期間がかかるため、表面播種後のかん水（水管理）により、稲種子が酸欠等で腐って発芽不良を起こし、また、その間に草が生え、除草管理に問題があった。
【０００５】
本発明の解決しようとする課題は、表面播種後における鉄粉被覆稲種子の出芽を早めることにより、発芽不良等の発生を防止することができる鉄粉被覆稲種子の湛水直播栽培方法を提供することにある。
【課題を解決するための手段】
【０００６】
上記課題を解決するため請求項１記載の鉄粉被覆稲種子の湛水直播栽培方法は、
種子の準備→浸種→鉄粉被覆→鉄粉被覆後の管理（酸化・乾燥）→発芽テスト→耕起・代かき→表面播種、の工程を含む鉄粉被覆稲種子の湛水直播栽培方法において、
前記表面播種の前に２度目の浸種を行うことを特徴とする手段とした。
【０００７】
また、請求項２記載の鉄粉被覆稲種子の湛水直播栽培方法は、請求１項記載の鉄粉被覆稲種子の湛水直播栽培方法において、
前記鉄粉被覆は、鉄粉コーティング比率が０.３〜０.５％であることを特徴とする手段とした。
【０００８】
また、請求項３記載の鉄粉被覆稲種子の湛水直播栽培方法は、請求項１又は２に記載の鉄粉被覆稲種子の湛水直播栽培方法明において、
前記表面播種の前に発芽テストを行うことを特徴とする手段とした。
【０００９】
また、請求項４記載の鉄粉被覆稲種子の湛水直播栽培方法は、請求項１〜３のいづれか１項に記載の鉄粉被覆稲種子の湛水直播栽培方法において、
前記浸種及び２度目浸種では、水温１５〜３２℃のたっぷりの水に２〜４日間浸け、積算温度を４０〜８５℃とすることを特徴とする手段とした。
【発明の効果】
【００１０】
この発明の鉄粉被覆稲種子の湛水直播栽培方法では、上述のように、表面播種の前に２度目の浸種を行うことで、表面播種後における鉄粉被覆稲種子の出芽を早めることができ、これにより、発芽不良等の発生を防止することができるようになる。
【図面の簡単な説明】
【００１１】
【図１】実施例１の鉄粉被覆稲種子の湛水直播栽培方法を示す工程図である。
【発明を実施するための形態】
【００１２】
以下にこの発明の実施例を図面に基づいて説明する。
【実施例１】
【００１３】
この実施例１の鉄粉被覆稲種子の湛水直播栽培方法を図１に基づいて説明する。
即ち、この鉄粉被覆稲種子の湛水直播栽培方法は、以下の工程で行われる。
【００１４】
[種子の準備]
発芽率の高い種子を入手し、必要に応じ、塩水選、消毒を行う。
【００１５】
[浸種・乾燥]
選定された発芽率の高い種子を水温１５〜３０℃のたっぷりの水に２〜４日間浸け、積算温度で４０〜８５℃とし、その後、広げて日陰干しする。
【００１６】
[鉄粉被覆]
浸種した稲種子に、鉄粉、並びに鉄粉に対する質量比で０．５〜２％の硫酸塩（但し、硫酸カルシウムは除く）及び／又は塩化物を加え、さらに水を添加して造粒し、水と酸素を供給して金属鉄粉の酸化反応によって生成した錆により、鉄粉を稲種子に付着、固化させた後、乾燥させて鉄粉被覆稲種子を得る。
なお、鉄粉のコーティング比率を０.３〜０.５％とする。
【００１７】
[鉄粉被覆後の管理]
鉄粉被覆後はすぐに薄く広げ、酸化・乾燥させる。
【００１８】
[発芽テスト]
発芽率確認のため鉄粉被覆稲種子の発芽テストを行う。
【００１９】
[耕起・代かき]
耕起・代かきを行う。代かきの硬さの基準は、通常の移植の場合に比べ播種時に車輪跡が消える程度の硬めの代かきが望ましい。
【００２０】
[２度目の浸種・乾燥]
鉄粉被覆稲種子を水温１５〜３２℃のたっぷりの水に２〜４日間浸け、積算温度で４０〜８５℃とする浸種を行う。
その後、広げて日陰干しする。
これにより、播種後の出芽を早めることができる。
【００２１】
[表面播種]
専用播種機で表面播種を行う。
【００２２】
[水管理・除草]
播種後、１０日程度は落水状態。
播種後、初期除草材を散布する場合は、散布後４〜５日間は湛水状態を保ち、７日間は水尻を止水する。
その後、出芽揃いまで落水状態にする。
【００２３】
[出芽]
播種後、３〜７日程度で発芽する。
【００２４】
[入水・除草剤]
出芽を確認したら、入水し、浅水にする。
前記  [水管理・除草]において、初期除草剤散布をしなかった場合は、本葉１.５葉が展開したら、すぐに除草剤散布を行う。
【００２５】
[栽培管理]
その後は、移植と同様の栽培管理を行う。
【００２６】
次に、この実施例１の作用・効果を説明する。
【００２７】
この実施例１の鉄粉被覆稲種子の湛水直播栽培方法では、上述のように、表面播種の前に２度目の浸種を行うことで、表面播種後における鉄粉被覆稲種子の出芽を早めることができ、これにより、発芽不良等の発生を防止することができるようになるという効果が得られる。
【００２８】
以上本実施例を説明してきたが、本発明は上述の実施例に限られるものではなく、本発明の要旨を逸脱しない範囲の設計変更等があっても、本発明に含まれる。
【図１】
2014117218.tif 000003